(57)【特許請求の範囲】
【請求項１】
便器の側方に配置されるライニング内に設けられたダストボックス設置構造であって、
前記ライニング内に配置され、前記ダストボックスを収納する収納部と、
前記ライニングの前面側に設けられ、廃棄物が投入される投入口を形成する投入部と、
前記収納部の前面側を覆い且つ上方に移動させて開放可能な蓋部と、を備え、
前記蓋部は、前記収納部の前記前面側に臨む側面に設けられた係止部に係止されて前記側面の側で固定された位置で前記収納部の前面側を覆い、自己の上端縁が当該上端縁左右両側方部位の各上方に配される左右の板部と共に前記投入口の縁部を構成するダストボックス構造。
【請求項２】
前記蓋部は、前記ライニングの構造部材に固定された係止部に対応する被係止部を有し、前記被係止部が前記係止部に上から下へ引っ掛かって係止されることによって、前記蓋部が前記収納部内に設置されたダストボックスを前面側から閉止するように構成されていることを特徴とする請求項１に記載のダストボックス設置構造。
【請求項３】
前記蓋部は、前記上端縁が前記投入部のうち前記投入口の下辺を規定する部分を構成していることを特徴とする請求項１又は２の何れかに記載のダストボックス設置構造。
【発明の詳細な説明】
【技術分野】
【０００１】
本発明は、トイレユニットに組み込まれるダストボックス周りの構造に関し、より詳細には、トイレユニットのライニングに内に設置されるダストボックス周りの構造にする。
【背景技術】
【０００２】
近年、トイレユニットは使用時の快適さ、掃除やメンテナンスの容易さ等々多様な要請に応え、また、負傷者や障害者にとっても利便性の高い製品の開発が進展しつつある。
このような状況にあって、トイレユニットのライニング内にダストボックスを配置する構造の技術開示も散見される（例えば、特許第５４８３２６７号公報、実用新案登録第２５５８９７９号公報、特開２０１３−２４１７５４号公報等参照）。
しかしながら、特許第５４８３２６７号公報には、トイレユニットのライニング内にダストボックスを配置してもよい旨の一文が開示され、ダストボックスを配置する場合における留意点等には言及がない。
また、実用新案登録第２５５８９７９号公報には、その図面に、ライニングに類する手洗い器設置パネル内にダストボックスを配置することが描かれているが、ここにも、ダストボックスを配置する場合における留意点等には言及がない。
一方、特開２０１３−２４１７５４号公報には、ライニング内にダストボックスを配置するについて、便座に坐したままの状態でゴミなどを投入可能な位置に設置すれば利便性が図られる趣旨の言及がある。
【先行技術文献】
【特許文献】
【０００３】
【特許文献１】特許第５４８３２６７号公報
【特許文献２】実用新案登録第２５５８９７９号公報
【特許文献３】特開２０１３−２４１７５４号公報
【発明の概要】
【発明が解決しようとする課題】
【０００４】
上掲の実用新案登録第２５５８９７９号公報には、手洗い器設置パネルの下パネルに設けた収納空間にダストボックスを設置する図面が描かれている。この図では、ダストボックスの収納空間の前面は扉板で覆われる。この扉板はヒンジで左側に取付けられ右側から手前に回動するように取付けられている。この扉板を右側から手前に開けてダストボックスの出し入れを行う。
しかしながら、トイレユニットのライニング内にダストボックスを配置し、その前面に上述のようなヒンジで回動する扉板を設けた構造にすると、ダストボックス周りが手狭となって作業性が悪い。即ち、便器に隣接してダストボックスが位置しているため、手前に回動させた扉板がすぐに便器に当たってしまい、十分に開放させることができず、更に、開いた扉板自体が、作業空間を一層狭めるため、ダストボックスの出し入れの操作性が阻害される。
また、特開２０１３−２４１７５４号公報に開示されたダストボックスの設置構造では、ライニング内に設置されたダストボックスの前面にパネルが軸支され、開閉自在に回動するように構成されている。このようにパネル（扉板）が回動する構成では、実用新案登録第２５５８９７９号公報の技術につき上述したところと同様、便器との間の手狭な作業空間で、ダストボックスの出し入れの操作性が阻害されるといった問題が生じる。
更にまた、上述のように操作性が悪い条件下で、ダストボックスの出し入れ操作を行おうとする使用者が、仮にも、体制を崩してパネル（扉板）に手を掛けて掴まろうとするようなことがあると、パネル（扉板）は人が掴まろうとする力には抗し得ず容易に開いてしまうおそれがある。
【０００５】
本発明は、上記事情に鑑みてなされたものであり、トイレユニットのライニング内における設置区画にダストボックスを設置しても、ダストボックス自体の出し入れの操作性が阻害されず、且つ、ダストボックスの設置区画の蓋部は、人が掴まっても容易に開いてしまうおそれがないダストボックス設置構造を提供することを目的とする。
【課題を解決するための手段】
【０００６】
上記目的を達成するべく、ここに次のような技術を提案する。
【０００７】
便器（例えば、後述の便器１０）の側方に配置されるライニング（例えば、後述の側方ライニング４０）内に設けられたダストボックス（例えば、後述のダストボックス４５）設置構造であって、
前記ライニング内に配置され、前記ダストボックスを収納する収納部（例えば、後述の収容区画５２０）と、
前記ライニングの前面側に設けられ、廃棄物が投入される投入口（例えば、後述の投入用開口４５０）を形成する投入部（例えば、後述の中央上部前板４２１、中央下部前板４２２、化粧板４５１Ｌ、４５１Ｒ）と、
前記収納部の前面側を覆い且つ上方に移動させて開放可能な蓋部（例えば、後述の蓋部４２２）と、を備えるダストボックス構造。
【０００８】
また、前記蓋部は、前記ライニングの構造部材に固定された係止部（例えば、後述の係止部５０１ａ、５０１ｂ、５０１ｃ、５０１ｄ）に対応する被係止部（例えば、後述の被係止部４２２ａ、４２２ｂ、４２２ｃ、４２２ｄ）を有し、前記被係止部が前記係止部に上から下へ引っ掛かって係止されることによって、前記蓋部が前記収納部内に設置されたダストボックスを前面側から閉止するように構成されていることが好ましい。
【０００９】
また、前記蓋部は、その上端縁（例えば、後述の上端縁４２２ｅ）が前記投入部のうち前記投入口の下辺を規定する部分を構成していることが好ましい。
【発明の効果】
【００１０】
本発明によれば、トイレユニットのライニング内における設置区画にダストボックスを設置しても、ダストボックス自体の出し入れの操作性が阻害されず、且つ、ダストボックスの設置区画の蓋部は、人が掴まっても容易に開いてしまうおそれがないダストボックス設置構造が具現される。
【図面の簡単な説明】
【００１１】
【図１】本発明の実施形態としてのダストボックス設置構造を有するトイレユニットの斜視図である。
【図２】図１のトイレユニットにおける側方ライニングの正面図である。
【図３】図２の側方ライニング内のダストボックスを設置する区画の蓋部を開放した様子を示す図である。
【図４】図３の蓋部の取付けに関する構造を示す図である。
【図５】図３のダストボックスを設置する区画を構成する枠体を示す図である。
【発明を実施するための形態】
【００１２】
以下、図面を参照して本発明の実施形態について詳述することにより本発明を明らかにする。
図１は、本発明の実施形態としてのダストボックス設置構造を有するトイレユニットの斜視図である。
トイレユニット１は、車いすに乗った状態で出入りが可能なトイレルームに設置される。このトイレユニット１は、図示の便器１０と、汚物流しユニット２０と、後方ライニング３０と、側方ライニング４０と、この側方ライニング４０の上面に設けられる手洗器５０及び洗面器６０と、側方ライニング４０の前面４０ａに配置される操作部７０と、可動手すり３２と、固定手すり３３と、を備える。また、側方ライニング４０の内部には、図１では見えない給水部及び排水部が配置される。
【００１３】
便器１０は、便器本体１１と、この便器本体１１の上部に便器本体１１に対して開閉可能に取り付けられる便座１２と、を含んで構成される。
ここで、本明細書においては、便座１２に座った使用者から見て、前方を「前方」、後方を「後方」、左側方を「左側方」、右側方を「右側方」とする。
【００１４】
汚物流しユニット２０は、便器１０の右側方に配置される。汚物流しユニット２０は、人工肛門や人工膀胱を造設した使用者が汚物を廃棄する場合等に用いられる。この汚物流しユニット２０は、汚物及び洗浄水を受けるボウル部２１と、このボウル部２１の上方に配置される水栓２２、鏡２３及び液体せっけん収容容器２４と、を備える。
【００１５】
後方ライニング３０は、便器１０及び汚物流しユニット２０の後方に配置される。より具体的には、後方ライニング３０は、少なくとも前面３０ａ及び上面３０ｂを有する箱状に構成され、平面視における長辺がトイレルームの後方壁面１０１に沿うように、かつ、短辺がトイレルームの側方壁面１０２に沿うように配置される。そして、この後方ライニング３０の前面３０ａに、便器１０及び汚物流しユニット２０が取り付けられる。また、後方ライニング３０の前面３０ａにおける便器１０の上方には、背もたれ３１が取り付けられる。
【００１６】
側方ライニング４０は、便器１０の左側方に配置される。より具体的には、側方ライニング４０は、箱状に構成され、長辺がトイレルームの側方壁面１０２に沿うように、かつ、短辺が後方ライニング３０の前面３０ａの前側に位置するように配置される。
側方ライニング４０の上面はカウンター４６として構成される。また、側方ライニング４０の前面４０ａは、複数の前板４２で構成され、側面は側板４３で構成され、下部には床面１０３との間に巾木４４が張りめぐらされている。更に、側方ライニング４０の下部には、ダストボックス４５が収納される区画である収納部が設けられ、この区画の前面側は部分的に蓋部である前板４２で覆われている。蓋部である前板４２の上方には廃棄物が投入される投入口としての投入用開口４５０が開口している。上記の収納部及び蓋部については後に詳述する。
【００１７】
手洗器５０は、底部に排水開口５１ａが形成された手洗ボウル部５１と、手洗側水栓５２とを有する。
また、洗面器６０は、底部に排水開口６１ａが形成された洗面ボウル部６１と、洗面側水栓６２と、液体せっけん収容容器６３とを有する。
また、操作部７０には、便座１２の温水の吐出操作を行う操作部７１と、ボタンを押すことにより便器１０の洗浄操作を行うタッチ操作部７２とが備えられている。  タッチ操作部７２の下部には、前板４２に紙巻器１１５が取り付けられる。
【００１８】
図２は、図１のトイレユニット１における側方ライニング４０の正面図である。図２において、図１との対応部は同一の符号により示し、これら各部の詳細な説明は省略する。
図１を参照して集合的に一括して表した複数の前板４２は、図２におけるように、中央上部前板４２１と、中央下部前板４２２と、第１側部前板４２３と、第２側部前板４２４と、洗面前板４２５と、により構成される。
尚、破線図示のように、側方ライニング４０内の中央上部前板４２１の奥には手洗側電磁弁８３が設けられ、第１側部前板４２３奥には排水部９０を構成する手洗側排水管９１が設けられている。
【００１９】
図２におけるように、中央上部前板４２１の下端縁４２１ｅと中央下部前板４２２の上端縁４２２ｅとの間には開口があり、この開口の左右両側方には上記開口部を部分的に覆う化粧板４５１Ｌ、４５１Ｒが設けられている。化粧板４５１Ｌ、４５１Ｒは側方ライニング４０内の構造部材（不図示）に取付けられる。
上述の中央上部前板４２１の下端縁４２１ｅと中央下部前板４２２の上端縁４２２ｅとの間の開口の左右両側が化粧板４５１Ｌ、４５１Ｒで覆われてなる残りの開口部が、図２では中央下部前板４２２背後にあって見えないダストボックス４５へ廃棄物を投入するための投入口である投入用開口４５０を形成している。
【００２０】
即ち、中央上部前板４２１、中央下部前板４２２、及び、両化粧板４５１Ｌ、４５１Ｒは、投入用開口４５０を形成する投入用開口形成部、即ち、廃棄物が投入される投入部である。
また、側方ライニング４０の中央下部前板４２２の背後には、後に詳述するように、少なくとも底板部と側板部とによって、ダストボックス４５を設置する区画を構成する設置区画構造部が設けられている。この場合、中央下部前板４２２は、上述の設置区画構造部に収納されたダストボックス４５を側方ライニング４０の正面側で開放可能に覆う蓋部を構成している。このため、以下の説明においては、中央下部前板４２２を、適宜、蓋部と称する。
【００２１】
図３は、図２の側方ライニング４０内のダストボックス４５を設置する区画の蓋部４２２を開放した様子を示す図である。
図４は、図３の蓋部４２２の取付けに関する構造を示す図である
図５は、図３のダストボックス４５を設置する区画を構成する枠体を示す図である。
図３、図４、図５において、図１及び図２との対応部は同一の符号により示し、これら各部自体の詳細な説明は省略する。
【００２２】
以下には、図３、図４、図５を参照して、中央下部前板（蓋部）４２２の取付け構造を含むダストボックス４５の設置構造について詳述する。
蓋部４２２には、側方ライニング４０の後述する構造部材に固定された係止部５０１ａ、５０１ｂ、５０１ｃ、５０１ｄに対応する被係止部４２２ａ、４２２ｂ、４２２ｃ、４２２ｄをその裏面に有する。
図を参照して容易に理解されるとおり、被係止部４２２ａ、４２２ｂ、４２２ｃ、４２２ｄは、概略直方体状の係止部５０１ａ、５０１ｂ、５０１ｃ、５０１ｄに対して、それらの上から下へ引っ掛かって係止される。これら被係止部４２２ａ、４２２ｂ、４２２ｃ、４２２ｄは、例えば、一定の弾性を有する金属板のフックであり、一方、係止部５０１ａ、５０１ｂ、５０１ｃ、５０１ｄは、樹脂製の小片である。
【００２３】
従って、中央下部前板である蓋部４２２は、図１及び図２に示されたように取付けられてダストボックス４５を便器１０側面に対向する正面側で覆っている状態から、上方に移動させて取り外し可能である（図４参照）。蓋部４２２がこのように取り外されると、図３に示されたように、側方ライニング４０内の設置区画に設置されたダストボックス４５が露呈する。この状態でダストボックス４５を側方ライニング４０内から容易に取り出すことができる。
【００２４】
蓋部４２２は、ヒンジによって取り付けられ、回動によって開扉する従来の扉形式のものとは異なり、図示のように上方に移動させて取り外す形式のものである。取り外した蓋部４２２は、邪魔にならない適宜の場所に仮置きできる。このため、側方ライニング４０とその前面に接近して配置された便器１０との間の狭い作業空間が開扉した扉によって更に狭められるといった弊害が本質的に発生しない。従って、側方ライニング４０からダストボックス４５を取り出す際の作業性が阻害されない。
【００２５】
既述のように、蓋部である中央下部前板４２２は、その上端縁４２２ｅがダストボックス４５へ廃棄物を投入するための投入用開口４５０の下辺を成している。従って、全体として構造が簡素化される。
また、上述の構成において、誤って投入用開口４５０の下辺を下に押圧する力や斜め前下方に引き下げる力が掛けられても、不用意に開いたり外れて落下したりするおそれがない。
これは、上述のように、蓋部４２２裏面の被係止部４２２ａ、４２２ｂ、４２２ｃ、４２２ｄが、対応する係止部５０１ａ、５０１ｂ、５０１ｃ、５０１ｄに対して、それらの上から下へ引っ掛かって係止されているからである。
従って、ダストボックス４５の取り出し作業等において、前屈みの姿勢で体勢を維持するべく、投入用開口４５０の下辺を手掛かりとしてつかまるようなことがあっても、蓋部４２２はこれによる外力に十分に抗して正規の取付け位置に留まることができる。
【００２６】
一方、側方ライニング４０における中央下部前板４２２（図１及び図２参照）の背後に当たる位置の内部には、ダストボックス４５全体を両側方に余裕を残して収容可能な枠体５１０（図５）が設置されている。
この枠体５１０は、底板部５１１と、左側板部５１２及び右側板部５１３、並びに、上板部５１４によってダストボックス４５を側方ライニング４０に設置する区画を構成する設置区画構造部をなしている。
図５を参照して容易に理解されるとおり、左側板部５１２及び右側板部５１３は、それらの下方部位である左側板下部５１２ａ及び右側板下部５１３ａと、それらの上方部位である左側板上部５１２ｂ及び右側板上部５１３ｂを有する。
左側板上部５１２ｂ及び右側板上部５１３ｂの対向間隔は、左側板部５１２及び右側板部５１３に各形成された左肩部５１２ｃ及び右肩部５１３ｃによって、左側板下部５１２ａ及び右側板下部５１３ａの対向間隔よりも狭められている。
左肩部５１２ｃの幅は、化粧板４５１Ｌ（図２、図３）の幅に略等しく、右肩部５１３ｃの幅は、化粧板４５１Ｒ（図２、図３）の幅に略等しい。
【００２７】
左側板下部５１２ａに、既述の係止部５０１ａ及び５０１ｃが、それらと左側板下部５１２ａとを貫通する複数のビス５１５、５１５と、これらのビス５１５，５１５に共通に対応する縦長の左ナット部材５１６とによって組み付けられている。
同様に、右側板下部５１３ａに、係止部５０１ｂ及び５０１ｄが、それらと右側板下部５１３ａとを貫通する複数のビス５１５、５１５と、これらのビス５１５、５１５に共通に対応する縦長の右ナット部材５１７とによって組み付けられている。
【００２８】
一体となった枠体５１０である設置区画構造部は、その底板部５１１と左側板下部５１２ａ及び右側板下部５１３ａとによって、ダストボックス４５を収納する収納部としての収容区画５２０を構成している。ダストボックス４５は、投入口（投入用開口４５０）から投入された廃棄物を受け入れる開口部としての受入れ開口部４５ａを形成する。
この収容区画５２０に連なって投入用開口４５０から投入される廃棄物がダストボックス４５の受入れ開口部４５ａに向けて落下する通路を構成する投入受容区画５３０が、左側板上部５１２ｂ及び右側板上部５１３ｂと、上板部５１４とによって構成されている。
枠体５１０の左側板上部５１２ｂ及び右側板上部５１３ｂは、投入用開口４５０から投入される廃棄物がダストボックス４５の受入れ開口部４５ａ外に飛び出すことを規制する規制構造部を構成している。即ち、本実施形態では、投入受容区画５３０の左右両側をなす左側板上部５１２ｂ及び右側板上部５１３ｂが、投入口（投入用開口４５０）から投入された廃棄物の移動を規制してダストボックス４５内に誘導する規制部を構成している。
【００２９】
上記を要するに、左側板上部５１２ｂ及び右側板上部５１３ｂは、ダストボックス４５の受入れ開口部４５ａ上方左右両側で、この受入れ開口部４５ａの幅より狭い間隔で対向し鉛直方向に延長した側方規制部材を構成している。これにより、投入用開口４５０から投入された廃棄物がダストボックス４５の受入れ開口部４５ａ外（収容区画５２０内のダストボックス４５外の間隙）に飛び出して落下してしまうおそれが回避される。
【００３０】
尚、廃棄物がダストボックス４５の受入れ開口部４５ａ外に飛び出して落下してしまわないように規制するについては、投入用開口４５０の左右両側より外部側を覆うように設けられた化粧板４５１Ｌ、４５１Ｒも重要である。これら化粧板４５１Ｌ、４５１Ｒによって投入用開口４５０の左右の幅寸法を限定することによって、廃棄物の入口での受容可能領域の幅が規制されているからである。
【００３１】
また、本実施形態では、一体となった枠体５１０によって、ダストボックス４５を収容するための収容区画５２０と、投入用開口４５０から投入される廃棄物がダストボックス４５の受入れ開口部４５ａに向けて落下する通路を構成する投入受容区画５３０と、の双方が形成されるため、施工時における作業効率がよく、量産に当たっての品質水準が維持される。
【００３２】
また一方、既述のように、枠体５１０である設置区画構造部は、側方ライニング４０の中央下部前板４２２の背後に構成されていることから、図１、図２、及び、図３を参照して容易に理解されるとおり、便座１２に着坐した位置からの廃棄物投入に支障のない位置にダストボックス４５を設置する区画を構成している。また、既述のとおり、中央下部前板４２２の上端縁４２２ｅによって廃棄物の投入用開口４５０が形成されている。
このため、廃棄物の投入用開口４５０への投入は、便座１２に着坐した位置から可能であり、負傷者や障害者にとっても利便性が高い。
【００３３】
尚、本実施形態では、枠体５１０の底板部５１１の左右両側における左側板部５１２及び右側板部５１３がそれぞれ立ち上がる位置の近傍に、位置規制部材５４１及び５４２が設けられている。これら位置規制部材５４１及び５４２は、底板部５１１上にダストボックス４５が設置されるに際して、その位置が底板部５１１の左右方向での中央位置となり、ダストボックス４５の左右両側と枠体５１０の左側板部５１２及び右側板部５１３との各間隔が適正なものとなるように、ダストボックス４５の底部に対して位置規制する。この位置規制によって、ダストボックス４５の左右と枠体５１０の左右両側との間隔が適度に保たれ、ダストボックス４５の出し入れに係る作業性が良好となる。
【００３４】
以上説明した本実施形態のダストボックス設置構造によれば、以下のような効果を奏する。
【００３５】
ライニング（側方ライニング）４０内に設置されたダストボックス４５を前面側で覆う蓋部４２２は、上方に移動させて開放可能である。このため、ライニング４０からダストボックス４５自体を出し入れするときの操作性が阻害されない。また、蓋部４２２は、取り外すには上方に移動させることを要するものであるため人が掴まっても容易に開いてしまうおそれがない。
【００３６】
特に、蓋部４２２は、その被係止部４２２ａ、４２２ｂ、４２２ｃ、４２２ｄがライニング４０側の係止部５０１ａ、５０１ｂ、５０１ｃ、５０１ｄに上から下へ引っ掛かって係止されることによってダストボックス４５を前面側から閉止しているため、下から上へ引き上げるように操作されない限り、不用意に開いてしまうおそれがない。
【００３７】
また特に、蓋部４２２自体の上端縁４２２ｅが投入用開口形成部（中央上部前板４２１、中央下部前板４２２、及び、両化粧板４５１Ｌ、４５１Ｒにおける各該当部）のうち投入用開口４５０の下辺を規定する部分を構成しているため、構造が簡素化される。
【符号の説明】
【００３８】
１  トイレユニット
１０  便器
４０  側方ライニング（ライニング）
４５  ダストボックス
４５ａ  受入れ開口部
４２１  中央上部前板（前板）
４２２  中央下部前板（蓋部）
４２２ａ、４２２ｂ、４２２ｃ、４２２ｄ  被係止部
４２２ｅ  上端縁
４５０  投入用開口
４５１Ｌ、４５１Ｒ  化粧板
５０１ａ、５０１ｂ、５０１ｃ、５０１ｄ  係止部
５１０  枠体
５１１  底板部
５１２、５１３  側板部
５１２ｂ  左側板上部
５１３ｂ  右側板上部
５２０  収容区画
５３０  投入受容区画
【図１】
0006423667.tif 000002
【図２】
0006423667.tif 000003
【図３】
0006423667.tif 000004
【図４】
0006423667.tif 000005
【図５】
0006423667.tif 000006